(57)【要約】【課題】電子辞書装置において、複数の辞書を対象にして見出し語検索した場合に、主要な辞書の表示中の説明情報に対応する他の辞書の説明情報を連動して表示させる。【解決手段】例えば「英和」のメイン辞書を「ジ＊ニアス英和辞典」、先頭サブ辞書を「リ＊ダーズ英和辞典」としてメイン・サブ辞書設定テーブル１２ｄに設定した状態での当該メイン辞書に基づく入力見出し語に応じた説明情報表示画面Ｇ３（図１１（Ｄ）参照）において、「サブ辞書」キー１６Ｄを操作すると、表示中のメイン辞書説明情報の選択語義番号「２」に内容対応する先頭サブ辞書の語義番号「５」が当該メイン辞書「ジ＊ニアス英和辞典」用の語義リンクテーブルに基づき検知され、この先頭サブ辞書語義番号「５」に応じた説明情報が前記メイン辞書の選択語義番号「２」の説明情報と２分割の表示設定にしたメイン／サブ説明情報連動画面Ｇ４（図１１（Ｅ）参照）にて表示される。【選択図】      図１１
2005202859.tif 000002
【特許請求の範囲】
【請求項１】
複数の辞書毎に見出し語に対応した説明情報を記憶する複数辞書記憶手段と、
見出し語を入力する見出し語入力手段と、
前記複数辞書記憶手段により記憶された複数の辞書のうちの何れかの辞書における前記見出し語入力手段により入力された見出し語に対応した説明情報の部分を表示させる第１の情報表示制御手段と、
前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の部分の語義に対応する当該他の辞書での説明情報の語義の部分を検知する対応説明部分検知手段と、
この対応説明部分検知手段により検知された他の辞書における説明情報の語義の部分を表示させる第２の情報表示制御手段と、
を備えたことを特徴とする辞書情報表示制御装置。
【請求項２】
前記第２の情報表示制御手段は、対応説明部分検知手段により検知された他の辞書における説明情報の語義の部分を、前記第１の情報表示制御手段により表示された辞書における入力見出し語に対応した説明情報の部分と並べて表示させることを特徴とする請求項１に記載の辞書情報表示制御装置。
【請求項３】
前記複数の辞書のそれぞれにおける見出し語に対応した説明情報は、語義番号毎の説明情報部分に分かれており、
前記対応説明部分検知手段は、前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の部分の語義番号に対応する当該他の辞書での説明情報の語義番号を検知し、
前記第２の情報表示制御手段は、前記対応説明部分検知手段により検知された他の辞書における説明情報の語義番号に対応する説明情報部分を表示させる、
ことを特徴とする請求項１または請求項２に記載の辞書情報表示制御装置。
【請求項４】
前記対応説明部分検知手段は、
前記複数の辞書それぞれの相互間における同一の見出し語に対応した説明情報の語義番号の対応関係を記憶する語義番号対応記憶手段を有し、
この語義番号対応記憶手段により記憶された各辞書間での同一見出し語に対応した説明情報の語義番号の対応関係に基づいて、前記第１の情報表示制御手段により表示された辞書の説明情報部分の語義番号に対応する他の辞書での説明情報の語義番号を検知する、
ことを特徴とする請求項３に記載の辞書情報表示制御装置。
【請求項５】
前記対応説明部分検知手段は、前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の語義部分の文字列と最も一致する文字列を含む当該他の辞書での説明情報の語義の部分を検知する、
ことを特徴とする請求項１または請求項２に記載の辞書情報表示制御装置。
【請求項６】
さらに、
前記第１の情報表示制御手段により説明情報の表示対象となる複数の辞書のうちの何れかの辞書をメイン辞書として予め設定し、前記対応説明部分検知手段により対応説明情報の語義部分の検知対象となる他の辞書を予めサブ辞書として設定するメイン・サブ辞書設定手段を備えたことを特徴とする請求項１ないし請求項５の何れか１項に記載の辞書情報表示制御装置。
【請求項７】
さらに、
前記第１の情報表示制御手段により表示されたメイン辞書における入力見出し語に対応した説明情報の部分をスクロールして表示させるスクロール表示制御手段を備え、
このスクロール表示制御手段により前記メイン辞書における入力見出し語に対応した説明情報の部分がスクロールされて表示された場合には、前記対応説明部分検知手段は当該スクロール表示されたメイン辞書における説明情報の部分の語義に対応するサブ辞書での説明情報の語義の部分を検知し、前記第２の情報表示制御手段は前記対応説明部分検知手段により前記スクロール表示に連動して検知されたサブ辞書における説明情報の語義の部分を表示させる、
ことを特徴とする請求項６に記載の辞書情報表示制御装置。
【請求項８】
さらに、
前記第１の情報表示制御手段によるメイン辞書における入力見出し語に対応した説明情報部分の表示に識別マークを付して表示させるメイン識別表示制御手段と、
このメイン識別表示制御手段によりメイン辞書における説明情報部分の表示に付して表示させた識別マークを前記第２の情報表示制御手段により表示されたサブ辞書における説明情報語義部分の表示位置に切り替えて表示させるメイン識別切り替え表示制御手段と、
このメイン識別切り替え表示制御手段により前記識別マークが前記第１の情報表示制御手段によるメイン辞書における説明情報部分の表示位置から前記第２の情報表示制御手段によるサブ辞書における説明情報部分の表示位置に切り替えられて表示された場合には、当該第２の情報表示制御手段により表示されているサブ辞書における説明情報部分を前記第１の情報表示制御手段によるメイン辞書における説明情報部分として切り替え設定し、前記第１の情報表示制御手段により表示されているメイン辞書における説明情報部分を前記第２の情報表示制御手段によるサブ辞書における説明情報部分として切り替え設定するメイン／サブ辞書切り替え設定手段と、
を備えたことを特徴とする請求項６または請求項７に記載の辞書情報表示制御装置。
【請求項９】
さらに、
任意のメイン辞書を指定する辞書キーと、
サブ辞書を指定するサブ辞書キーとを有し、
前記第１の情報表示制御手段は、前記辞書キーの操作に応じて前記複数辞書記憶手段により記憶された複数の辞書のうちのメイン辞書における前記入力見出し語に対応した説明情報の部分を表示させ、
前記対応説明部分検知手段は、前記サブ辞書キーの操作に応じて前記複数辞書記憶手段により記憶された複数の辞書のうちのサブ辞書における前記入力見出し語と同一の見出し語に対応した説明情報のうちで、前記第１の情報表示制御手段により表示された説明情報の部分の語義に対応する当該サブ辞書での説明情報の語義の部分を検知し、
前記第２の情報表示制御手段は、前記サブ辞書キーの操作に伴い前記対応説明部分検知手段により検知されたサブ辞書における説明情報の語義の部分を表示させる、
ことを特徴とする請求項６ないし請求項８の何れか１項に記載の辞書情報表示制御装置。
【請求項１０】
電子辞書装置のコンピュータを制御するための辞書情報表示制御プログラムであって、
前記コンピュータを、
複数の辞書毎に見出し語に対応した説明情報を記憶する複数辞書記憶手段、
見出し語を入力する見出し語入力手段、
前記複数辞書記憶手段により記憶された複数の辞書のうちの何れかの辞書における前記見出し語入力手段により入力された見出し語に対応した説明情報の部分を表示させる第１の情報表示制御手段、
前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の部分の語義に対応する当該他の辞書での説明情報の語義の部分を検知する対応説明部分検知手段、
この対応説明部分検知手段により検知された他の辞書における説明情報の語義の部分を表示させる第２の情報表示制御手段、
として機能させるようにしたコンピュータ読み込み可能な辞書情報表示制御プログラム。
【請求項１１】
複数の辞書毎に見出し語に対応した説明情報を記憶する複数辞書記憶手段と、見出し語を入力する見出し語入力手段とを有する電子辞書装置を制御するための辞書情報表示制御方法であって、
前記複数辞書記憶手段により記憶された複数の辞書のうちの何れかの辞書における前記見出し語入力手段により入力された見出し語に対応した説明情報の部分を表示させる第１の情報表示制御ステップと、
前記複数辞書記憶手段により記憶された複数の辞書のうちの他の辞書における前記見出し語入力手段により入力された見出し語と同一の見出し語に対応した説明情報のうちで、前記第１の情報表示制御ステップにて表示された説明情報の部分の語義に対応する当該他の辞書での説明情報の語義の部分を検知する対応説明部分検知ステップと、
この対応説明部分検知ステップにて検知された他の辞書における説明情報の語義の部分を表示させる第２の情報表示制御ステップと、
からなることを特徴とする辞書情報表示制御方法。
【発明の詳細な説明】
【技術分野】
【０００１】
本発明は、電子データ化した種々の辞書データベースを記憶して任意の見出し語に対応する言語訳や意味内容などの説明情報を検索表示するための辞書情報表示制御装置、および辞書情報表示制御プログラム、辞書情報表示制御方法に関する。
【背景技術】
【０００２】
従来から、国語辞典，英和辞典，和英事典などの各種の辞典や辞書を電子データ化してＲＯＭなどの記憶媒体に格納し、これに基づき各種の言語や語句を見出し語として入力し、その訳語や意味内容などの説明情報を検索して表示するようにした電子辞書装置が広く汎用されている。
【０００３】
近年このような電子辞書装置では、各種の辞書データベースのそれぞれにおいて多数の辞書が搭載されるようになっており、例えば英和辞書だけでもその辞書メーカやユーザ対象レベルの異なる３種類以上の辞書が予め内蔵されているものもある。
【０００４】
そして、任意の見出し語を入力して検索の実行を指示した場合に、指定の種類の辞書データベースに搭載された複数の辞書の全ての辞書データに基づいて見出し語検索を行い、検索対象の見出し語を有する各辞書データから読み出された説明情報を一括して表示するようにした電子辞書装置も考えられている（例えば、特許文献１参照。）。
【特許文献１】特開２０００−２７６４７９号公報
【発明の開示】
【発明が解決しようとする課題】
【０００５】
このように、前記特許文献１にある従来の電子辞書装置では、同種の辞書として予め内蔵された複数の辞書のそれぞれに対して、入力された見出し語との一致検索を行い、当該見出し語の検索された各辞書データからの説明情報を一括表示することはできるものの、各辞書データ毎にそれぞれ対応する語義の位置は異なっている。このため、ユーザが必要とする語義での説明情報を得るには、検索表示された各辞書の説明情報毎に当該説明情報をスクロール表示させて探さなければならず、非常に面倒で手間の掛かる問題がある。
【０００６】
本発明は、このような課題に鑑みなされたもので、複数の辞書を対象にして見出し語検索した場合に、主要な辞書の表示中の説明情報に対応する他の辞書の説明情報を連動して表示させることが可能になる辞書情報表示制御装置、および辞書情報表示制御プログラム、辞書情報表示制御方法を提供することを目的とする。
【課題を解決するための手段】
【０００７】
本発明の請求項１に係る辞書情報表示制御装置では、複数の辞書毎に見出し語に対応した説明情報を記憶する複数辞書記憶手段と、見出し語を入力する見出し語入力手段とを有し、まず第１の情報表示制御手段によって、前記複数辞書記憶手段により記憶された複数の辞書のうちの何れかの辞書における前記見出し語入力手段により入力された見出し語に対応した説明情報の部分が表示される。そして前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の部分の語義に対応する当該他の辞書での説明情報の語義の部分が対応説明部分検知手段によって検知され、この対応説明部分検知手段により検知された他の辞書における説明情報の語義の部分が第２の情報表示制御手段によって表示される。
【０００８】
これによれば、主要な辞書における所望の見出し語に対応した説明情報のある語義部分を表示させたのに伴い、例えばユーザ対象レベルの異なる他の辞書における同一見出し語に対応した説明情報の語義対応部分を連動表示できることになる。
【０００９】
本発明の請求項２に係る辞書情報表示制御装置は、前記請求項１に係る辞書情報表示制御装置にあって、前記第２の情報表示制御手段では、対応説明部分検知手段により検知された他の辞書における説明情報の語義の部分が、前記第１の情報表示制御手段により表示された辞書における入力見出し語に対応した説明情報の部分と並べて表示される。
【００１０】
これによれば、主要な辞書における見出し語対応の説明情報の語義部分と他の辞書における同一見出し語対応の説明情報の語義部分とを対比表示できることになる。
【００１１】
本発明の請求項３に係る辞書情報表示制御装置は、前記請求項１または請求項２に係る辞書情報表示制御装置にあって、前記複数の辞書のそれぞれにおける見出し語に対応した説明情報は、語義番号毎の説明情報部分に分かれている。そして前記対応説明部分検知手段では、前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の部分の語義番号に対応する当該他の辞書での説明情報の語義番号を検知し、前記第２の情報表示制御手段では、前記対応説明部分検知手段により検知された他の辞書における説明情報の語義番号に対応する説明情報部分が表示される。
【００１２】
これによれば、主要な辞書における見出し語対応の説明情報表示部分の語義番号に対応した他の辞書での同一見出し語対応の説明情報の語義番号を検知してその説明情報部分を容易に連動表示できることになる。
【００１３】
本発明の請求項４に係る辞書情報表示制御装置は、前記請求項３に係る辞書情報表示制御装置にあって、前記対応説明部分検知手段では、前記複数の辞書それぞれの相互間における同一の見出し語に対応した説明情報の語義番号の対応関係を記憶する語義番号対応記憶手段を有し、この語義番号対応記憶手段により記憶された各辞書間での同一見出し語に対応した説明情報の語義番号の対応関係に基づいて、前記第１の情報表示制御手段により表示された辞書の説明情報部分の語義番号に対応する他の辞書での説明情報の語義番号を検知する。
【００１４】
これによれば、予め用意された語義リンクテーブルなどの語義番号対応記憶手段から主要な辞書で表示中にある説明情報語義部分の語義番号に対応する他の辞書での説明情報語義部分の語義番号を読み出して、当該他の辞書での説明情報語義部分を簡単な制御で連動表示できることになる。
【００１５】
本発明の請求項５に係る辞書情報表示制御装置は、前記請求項１または請求項２に係る辞書情報表示制御装置にあって、前記対応説明部分検知手段では、前記複数辞書記憶手段により記憶された複数の辞書のうちの他の辞書における前記見出し語入力手段により入力された見出し語と同一の見出し語に対応した説明情報のうちで、前記第１の情報表示制御手段により表示された説明情報の語義部分の文字列と最も一致する文字列を含む当該他の辞書での説明情報の語義の部分を検知する。
【００１６】
これによれば、主要な辞書における見出し語対応の説明情報語義部分の内容に最も表現の近似した他の辞書における同一見出し語対応の説明情報語義部分を検知して連動表示できることになる。
【００１７】
本発明の請求項６に係る辞書情報表示制御装置は、前記請求項１ないし請求項５の何れか１項に係る辞書情報表示制御装置にあって、さらに、前記第１の情報表示制御手段により説明情報の表示対象となる複数の辞書のうちの何れかの辞書をメイン辞書として予め設定し、前記対応説明部分検知手段により対応説明情報の語義部分の検知対象となる他の辞書を予めサブ辞書として設定するメイン・サブ辞書設定手段を備える。
【００１８】
これによれば、複数辞書記憶手段により記憶される複数の辞書のうち、例えばユーザが多用する辞書をメイン辞書として予め設定すると共に、このメイン辞書と同種でより内容レベルの高い他の辞書をサブ辞書として予め設定し、メイン辞書による見出し語対応の説明情報語義部分と共に１レベル高いサブ辞書による同一見出し語対応の説明情報語義部分も参照できることになる。
【００１９】
本発明の請求項７に係る辞書情報表示制御装置は、前記請求項６に係る辞書情報表示制御装置にあって、さらに、前記第１の情報表示制御手段により表示されたメイン辞書における入力見出し語に対応した説明情報の部分をスクロールして表示させるスクロール表示制御手段を備え、このスクロール表示制御手段により前記メイン辞書における入力見出し語に対応した説明情報の部分がスクロールされて表示された場合には、前記対応説明部分検知手段は当該スクロール表示されたメイン辞書における説明情報の部分の語義に対応するサブ辞書での説明情報の語義の部分を検知し、前記第２の情報表示制御手段は前記対応説明部分検知手段により前記スクロール表示に連動して検知されたサブ辞書における説明情報の語義の部分を表示させる。
【００２０】
これによれば、メイン辞書における見出し語対応の説明情報語義部分をスクロール表示させて同一説明情報上の別の語義部分への移動表示を行うことで、サブ辞書における対応説明情報語義部分の表示も別の対応語義部分へと連動させて移動表示できることになる。
【００２１】
本発明の請求項８に係る辞書情報表示制御装置は、前記請求項６または請求項７に係る辞書情報表示制御装置にあって、さらに、メイン識別表示制御手段によって、前記第１の情報表示制御手段によるメイン辞書における入力見出し語に対応した説明情報部分の表示に識別マークを付して表示させる。そしてメイン識別切り替え表示制御手段によって、前記メイン識別表示制御手段によりメイン辞書における説明情報部分の表示に付して表示させた識別マークを前記第２の情報表示制御手段により表示されたサブ辞書における説明情報語義部分の表示位置に切り替えて表示させると、メイン／サブ辞書切り替え設定手段によって、当該第２の情報表示制御手段により表示されているサブ辞書における説明情報部分は前記第１の情報表示制御手段によるメイン辞書における説明情報部分として切り替え設定され、前記第１の情報表示制御手段により表示されているメイン辞書における説明情報部分は前記第２の情報表示制御手段によるサブ辞書における説明情報部分として切り替え設定される。
【００２２】
これによれば、メイン辞書における説明情報部分表示に付した識別マークをサブ辞書において対応する説明情報語義部分の表示位置に切り替えて表示させるだけて、これまでのサブ辞書とその説明情報語義表示をメイン辞書のそれとして扱うことができると共に、これまでのメイン辞書とその説明情報語義表示をサブ辞書のそれとして扱うことができることになる。
【００２３】
本発明の請求項９に係る辞書情報表示制御装置は、前記請求項６ないし請求項８の何れか１項に係る辞書情報表示制御装置にあって、さらに、任意のメイン辞書を指定する辞書キーと、サブ辞書を指定するサブ辞書キーとを有し、前記第１の情報表示制御手段では、前記辞書キーの操作に応じて前記複数辞書記憶手段により記憶された複数の辞書のうちのメイン辞書における前記入力見出し語に対応した説明情報の部分が表示され、前記対応説明部分検知手段では、前記サブ辞書キーの操作に応じて前記複数辞書記憶手段により記憶された複数の辞書のうちのサブ辞書における前記入力見出し語と同一の見出し語に対応した説明情報のうちで、前記第１の情報表示制御手段により表示された説明情報の部分の語義に対応する当該サブ辞書での説明情報の語義の部分が検知され、前記第２の情報表示制御手段では、前記サブ辞書キーの操作に伴い前記対応説明部分検知手段により検知されたサブ辞書における説明情報の語義の部分が表示される。
【００２４】
これによれば、辞書キーの１キー操作でメイン辞書を検索対象とした入力見出し語対応の説明情報の表示が得られるだけでなく、サブ辞書キーの１キー操作でサブ辞書を連動検索対象とした各辞書の説明情報の表示が得られることになる。
【発明の効果】
【００２５】
本発明の請求項１（請求項１０）（請求項１１）に係る辞書情報表示制御装置（辞書情報表示制御プログラム）（辞書情報表示制御方法）によれば、主要な辞書における所望の見出し語に対応した説明情報のある語義部分を表示させたのに伴い、例えばユーザ対象レベルの異なる他の辞書における同一見出し語に対応した説明情報の語義対応部分を連動表示できるようになる。
【００２６】
本発明の請求項２に係る辞書情報表示制御装置によれば、前記請求項１に係る辞書情報表示制御装置にあって、主要な辞書における見出し語対応の説明情報の語義部分と他の辞書における同一見出し語対応の説明情報の語義部分とを対比表示できるようになる。
【００２７】
本発明の請求項３に係る辞書情報表示制御装置によれば、前記請求項１または請求項２に係る辞書情報表示制御装置にあって、主要な辞書における見出し語対応の説明情報表示部分の語義番号に対応した他の辞書での同一見出し語対応の説明情報の語義番号を検知してその説明情報部分を容易に連動表示できるようになる。
【００２８】
本発明の請求項４に係る辞書情報表示制御装置によれば、前記請求項３に係る辞書情報表示制御装置にあって、予め用意された語義リンクテーブルなどの語義番号対応記憶手段から主要な辞書で表示中にある説明情報語義部分の語義番号に対応する他の辞書での説明情報語義部分の語義番号を読み出して、当該他の辞書での説明情報語義部分を簡単な制御で連動表示できるようになる。
【００２９】
本発明の請求項５に係る辞書情報表示制御装置によれば、前記請求項１または請求項２に係る辞書情報表示制御装置にあって、主要な辞書における見出し語対応の説明情報語義部分の内容に最も表現の近似した他の辞書における同一見出し語対応の説明情報語義部分を検知して連動表示できることになる。
【００３０】
本発明の請求項６に係る辞書情報表示制御装置によれば、前記請求項１ないし請求項５の何れか１項に係る辞書情報表示制御装置にあって、さらに、複数辞書記憶手段により記憶される複数の辞書のうち、例えばユーザが多用する辞書をメイン辞書として予め設定すると共に、このメイン辞書と同種でより内容レベルの高い他の辞書をサブ辞書として予め設定し、メイン辞書による見出し語対応の説明情報語義部分と共に１レベル高いサブ辞書による同一見出し語対応の説明情報語義部分も参照できるようになる。
【００３１】
本発明の請求項７に係る辞書情報表示制御装置によれば、前記請求項６に係る辞書情報表示制御装置にあって、さらに、メイン辞書における見出し語対応の説明情報語義部分をスクロール表示させて同一説明情報上の別の語義部分への移動表示を行うことで、サブ辞書における対応説明情報語義部分の表示も別の対応語義部分へと連動させて移動表示できるようになる。
【００３２】
本発明の請求項８に係る辞書情報表示制御装置によれば、前記請求項６または請求項７に係る辞書情報表示制御装置にあって、さらに、メイン辞書における説明情報部分表示に付した識別マークをサブ辞書において対応する説明情報語義部分の表示位置に切り替えて表示させるだけて、これまでのサブ辞書とその説明情報語義表示をメイン辞書のそれとして扱うことができると共に、これまでのメイン辞書とその説明情報語義表示をサブ辞書のそれとして扱うことができるようになる。
【００３３】
本発明の請求項９に係る辞書情報表示制御装置によれば、前記請求項６ないし請求項８の何れか１項に係る辞書情報表示制御装置にあって、さらに、辞書キーの１キー操作でメイン辞書を検索対象とした入力見出し語対応の説明情報の表示が得られるだけでなく、サブ辞書キーの１キー操作でサブ辞書を連動検索対象とした各辞書の説明情報の表示が得られるようになる。
【００３４】
よって、本発明によれば、複数の辞書を対象にして見出し語検索した場合に、主要な辞書の表示中の説明情報に対応する他の辞書の説明情報を連動して表示させることが可能になる辞書情報表示制御装置、および辞書情報表示制御プログラム、辞書情報表示制御方法を提供できる。
【発明を実施するための最良の形態】
【００３５】
以下図面により本発明の実施の形態について説明する。
【００３６】
図１は本発明の辞書情報表示制御装置の実施形態に係る携帯機器（電子辞書）１０の電子回路の構成を示すブロック図である。
【００３７】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３８】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００３９】
前記ＣＰＵ１１には、前記メモリ１２、記憶媒体読取部１４、通信部１５、入力部１６が接続される他に、ＬＣＤからなる表示部１７などが接続される。
【００４０】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、新たに必要な辞書データを辞書管理用のＷｅｂサーバ２０やメモリカード（記憶媒体）１３からダウンロードしたり、辞書データ（１２ｂ）に基づき見出し語入力に応じた訳語や意味内容などの各種説明情報を検索したり、「国語」「英和」「和英」など、辞書の種類毎にユーザ任意のメイン辞書／サブ辞書を設定し、入力見出し語に応じた各種説明情報の検索結果をメイン辞書／サブ辞書間で語義連動にして表示したりするための辞書制御プログラム１２ａが記憶される。
【００４１】
また、このメモリ１２には、辞書データメモリ１２ｂ、語義リンクテーブル１２ｃ、メイン・サブ辞書設定テーブル１２ｄ、ワークエリア１２ｅなどが用意される。
【００４２】
辞書データメモリ１２ｂには、「国語辞典」「漢和辞典」「英和辞典」「和英辞典」など、種類の異なる辞書データが各種類別に予め、あるいはダウンロードされて複数辞書記憶されるもので、例えば「国語辞典」としては「広○苑」「マイ百科事典」「カタカナ辞典」が記憶され、「漢和辞典」としては「漢○林」「漢字源」が記憶され、「英和辞典」としては「ジ＊ニアス英和辞典」「リ＊ダーズ英和辞典」「リ＊ダーズα」が記憶され、「和英辞典」としては「ジュニアー和英辞典」「ジ＊ニアス和英辞典」が記憶される。
【００４３】
これら各種類別の複数の辞書データは、それぞれ例えば利用者対象レベルに応じてグレードを異ならせた辞書とされる。
【００４４】
図２は前記携帯機器（電子辞書）１０のメモリ１２に記憶される語義リンクテーブル１２ｃのテーブルデータを示す図である。
【００４５】
この語義リンクテーブル１２ｃには、前記辞書データメモリ１２ｂに記憶されている各辞書毎のリンクテーブルがあり、該当辞書の各見出し語に対応する説明情報の語義番号について、同辞書データメモリ１２ｂに記憶されている同種辞書のそれぞれにおける対応する見出し語説明情報の語義番号がテーブル化されて記憶される。
【００４６】
図２で示す語義リンクテーブル１２ｃは、ジ＊ニアス英和辞典用のリンクテーブルであり、見出し語「ｌｉｆｅ」の説明情報中の各語義（１〜１２）について、リ＊ダーズ英和辞典とリ＊ダーズαでの同一見出し語「ｌｉｆｅ」の説明情報中の対応語義番号を示している。
【００４７】
図３は前記図２おける語義リンクテーブル１２ｃについて各語義に対応する説明情報の内容を参考に対応付けて示す図である。
【００４８】
すなわち、この図３で示す語義リンクテーブル１２ｃの参考情報によれば、ジ＊ニアス英和辞典での見出し語「ｌｉｆｅ」の例えば語義番号（１）の説明情報「［Ｕ］生命，命，…」、語義番号（２）の説明情報「［Ｕ］［集合的に］生物，…」に対しては、それぞれリ＊ダーズ英和辞典での語義番号（１ａ）の説明情報「生命、命…」、語義番号（５）の説明情報「生き物，生物（集合的に）」が対応する説明情報であることが分かる。
【００４９】
メイン・サブ辞書設定テーブル１２ｄ（図１０（Ａ）参照）には、前記辞書データメモリ１２ｂに記憶されている各種類別の複数辞書について、同種複数辞書内での主要な使用辞書がメイン辞書（Ｍ）として設定され、その他の辞書が当該メイン辞書を基準とした利用者対象レベル順のサブ辞書として設定されるもので、このメイン辞書とサブ辞書の設定状態は予めデフォルトで指定される他にユーザ操作に応じて任意に指定される。
【００５０】
ワークエリア１２ｅには、前記辞書制御プログラム１２ａなどの各種の装置制御プログラムに従いＣＰＵ１１に入出力される種々のデータが必要に応じて記憶される。
【００５１】
図４は前記携帯機器（電子辞書）１０の入力部１６であるキーボードパネルを示す図である。
【００５２】
キーボードパネル（１６）には、ひらがな，カタカナ，漢字，英数字を任意入力するための一連の文字入力キーが配列されると共に、辞書データメモリ１２ｂに記憶されている全ての辞書を対象にして入力見出し語に対応する説明情報の検索を行うための「全辞書」キー１６Ａ、各種別のメイン辞書を指定して入力見出し語に対応する説明情報の検索を行うための各辞書キー「国語」１６a1、「漢和」１６a2、「英和」１６a3、「和英」１６a4、ノーマルモードでメニューキー，シフトモードで電卓キーとして機能する「メニュー／電卓」キー１６ｍ、シフトモードに設定するための「シフト」キー１２ｓ、ノーマルモードで削除キー，シフトモードで設定キーとして機能する「削除／設定」キー１６Ｅ、メイン辞書での検索表示状態においてサブ辞書も語義連動にして見出し語検索を行うための「サブ辞書」キー１６Ｄ、検索表示中の説明情報に記述されている「用例／解説」マークを指定してその用例または解説を表示させるための「用例・解説」キー１６Ｒ、処理ステップの戻りを指示するための「戻る」キー１６Ｂ、各種ページ操作の他、検索表示中の隣接見出し語の切り替え指定やメイン辞書／サブ辞書間の切り替え操作を行うためのページアップキー１６ｕ，ページダウンキー１６ｄ、表示画面上でのデータ選択操作やスクロール操作を行うための上下左右方向の各カーソルキー１６xd，１６xu，１６yr，１６yf、そして、選択データの決定／確定や選択見出し語に対応した説明情報の読出し表示を指示するための「訳／決定」キー１６Ｙなどが備えられる。
【００５３】
次に、前記構成の携帯機器（電子辞書）１０による辞書情報表示制御機能について説明する。
【００５４】
図５は前記携帯機器（電子辞書）１０による情報表示制御機能の全体処理（その１）を示すフローチャートである。
【００５５】
図６は前記携帯機器（電子辞書）１０による情報表示制御機能の全体処理（その２）を示すフローチャートである。
【００５６】
図７は前記携帯機器（電子辞書）１０による情報表示制御機能の全体処理に伴うメイン辞書設定処理を示すフローチャートである。
【００５７】
図８は前記携帯機器（電子辞書）１０による情報表示制御機能の全体処理に伴う第１の対応語義番号検知処理を示すフローチャートである。
【００５８】
図９は前記携帯機器（電子辞書）１０による情報表示制御機能の全体処理に伴う第２の対応語義番号検知処理を示すフローチャートである。
【００５９】
図１０は前記携帯機器（電子辞書）１０による情報表示制御機能の全体処理に伴うキー操作対応の表示動作（その１）を示す図であり、同図（Ａ）はメイン辞書設定画面Ｇ１を示す図、同図（Ｂ）は見出し語一覧画面Ｇ２を示す図、同図（Ｃ）は説明情報表示画面Ｇ３を示す図である。
【００６０】
まず、辞書データメモリ１２ｂに記憶されている各種類別「国語」「漢和」「英和」「和英」の複数辞書について、ユーザが主要に使用するメイン辞書の設定を行う場合に、図１０（Ａ）に示すように、「シフト」キー１６ｓ＋「設定」キー１６Ｅの操作に従い“メイン辞書設定の指示あり”が判断されると（ステップＡ１→Ａ２）、図７におけるメイン辞書設定処理に移行される（ステップＡＳ）。
【００６１】
このメイン辞書設定処理が起動されると、表示部１７にメイン辞書設定画面Ｇ１が表示され、メイン・サブ辞書設定テーブル１２ｄに記憶されている各辞書種類別のメイン辞書／サブ辞書の現在の設定内容に従って、メイン辞書名の先頭に黒丸の反転表示からなるメイン辞書マークＭが付加されて表示される（ステップＳ１）。
【００６２】
このメイン辞書設定画面Ｇ１において、カーソル上下キー１６xd，１６xuが操作されると、同画面Ｇ１上の反転表示カーソルＫにより指定中の辞書名が同種の複数辞書内で上下方向に変更表示され、当該変更指定された辞書に対して前記メイン辞書マークＭが変更表示される（ステップＳ２→Ｓ３）。
【００６３】
また、同メイン辞書設定画面Ｇ１において、カーソル左右キー１６yr，１６yfが操作されると、同画面Ｇ１上の反転表示カーソルＫにより指定中の辞書の種類が左右方向へ変更されて表示される（ステップＳ４→Ｓ５）。
【００６４】
そして、前記各カーソルキー操作に従って所望の辞書種類の複数辞書中におけるメイン設定したい辞書をカーソルＫで指定した状態で、「訳／決定」キー１６Ｙが操作されると、当該指定された辞書名に対し付加されたメイン辞書マークＭが確定表示されると共に、新たに変更設定された各辞書種類別のメイン辞書がメイン・サブ辞書設定テーブル１２ｄに記憶設定される（ステップＳ６→Ｓ７）。
【００６５】
図１０（Ａ）に示すメイン辞書設定画面Ｇ１では、「国語」のメイン辞書が「広○苑」、「漢和」のメイン辞書が「漢○林」、「英和」のメイン辞書が「ジ＊ニアス英和」、「和英」のメイン辞書が「ジュニアー和英」に設定され、各メイン辞書に隣接する同種の辞書が近い方から順位の高いサブ辞書として設定された状態を示し、この設定内容がメイン・サブ辞書設定テーブル１２ｄとして記憶設定される。
【００６６】
次に、前記新たな内容のメイン・サブ辞書設定テーブル１２ｄが記憶設定された状態で、任意の入力見出し語に従ってその説明情報を検索表示させる場合の動作について説明する。
【００６７】
例えば英和の辞書検索を行いたい場合に、図１０（Ｂ）に示すように、辞書キー「英和」１６a3が操作されると（ステップＡ３）、当該辞書種類「英和」の現在の設定メイン辞書である「ジ＊ニアス英和」の辞書データが辞書データメモリ１２ｂから読出され（ステップＡ４）、当該辞書が起動されてその見出し語（検索文字）入力画面が表示される（ステップＡ５）。
【００６８】
この見出し語（検索文字）入力画面において、例えば検索対象の英単語「ｌｉｆｅ」が見出し語として入力表示されると（ステップＡ６）、これに伴い当該入力見出し語に完全一致および一致する単語を含む複数の見出し語が検索され、図１０（Ｂ）に示すような見出し語一覧画面Ｇ２として表示される（ステップＡ７）。
【００６９】
そして、この見出し語一覧画面Ｇ２において、カーソルＫが移動操作され、さらに検索対象としたい見出し語が選択されて「訳／決定」キー１６Ｙが操作されると（ステップＡ８）、図１０（Ｃ）に示すように、当該選択された見出し語に対応する説明情報がメイン辞書である「ジ＊ニアス英和」の辞書データから読出され、説明情報表示画面Ｇ３として説明情報の先頭から表示される（ステップＡ９）。
【００７０】
図１１は前記携帯機器（電子辞書）１０による情報表示制御機能の全体処理に伴うキー操作対応の表示動作（その２）を示す図であり、同図（Ｄ）は説明情報表示画面Ｇ３でのスクロール表示を示す図、同図（Ｅ）はメイン／サブ説明情報連動画面Ｇ４を示す図、同図（Ｆ）はメイン／サブ説明情報連動画面Ｇ４でのスクロール表示を示す図である。
【００７１】
前記図１０（Ｃ）で示した説明情報表示画面Ｇ３において、カーソル上下キー１６xd，１６xuが操作されると（ステップＡ１０）、図１１（Ｄ）に示すように、当該説明情報表示画面Ｇ３に表示されているメイン辞書「ジ＊ニアス英和」の選択見出し語「ｌｉｆｅ」の説明情報が上下にスクロールされて表示される（ステップＡ１１）。
【００７２】
こうしたメイン辞書「ジ＊ニアス英和」に基づく説明情報表示画面Ｇ３でのスクロール表示において、例えばユーザが求める説明情報が見出せず、同種記憶辞書「英和」のうちで現在のメイン辞書「ジ＊ニアス英和」よりユーザ対象レベルが上になるサブ辞書「リ＊ダーズ英和」「リ＊ダーズα」に基づいた説明情報をも参照したい場合に、図１１（Ｅ）に示すように、「サブ辞書」キー１６Ｄが操作されると（ステップＡ１２）、メイン・サブ辞書設定テーブル１２ｄに基づき現在のメイン辞書「ジ＊ニアス英和」と同種「英和」のサブ辞書「リ＊ダーズ英和」「リ＊ダーズα」が読出され（ステップＡ１３）、メイン辞書「ジ＊ニアス英和」にて検索表示中の見出し語「ｌｉｆｅ」がサブ辞書「リ＊ダーズ英和」「リ＊ダーズα」から検索される（ステップＡ１４）。
【００７３】
すると、まず先頭のサブ辞書「リ＊ダーズ英和」が指定され（ステップＡ１５）、この先頭サブ辞書の辞書データ内に前記検索対象の見出し語「ｌｉｆｅ」が有るか／否か判断される（ステップＡ１６）。
【００７４】
ここで、先頭サブ辞書「リ＊ダーズ英和」の辞書データ内に検索対象見出し語「ｌｉｆｅ」が有ると判断されると（ステップＡ１６）、当該見出し語「ｌｉｆｅ」に対応した先頭サブ辞書に基づく説明情報の表示形態が、前記メイン辞書に基づき表示されている説明情報とその表示エリアを２分割表示にして設定される（ステップＡ１７）。
【００７５】
すると、次のサブ辞書が存在するか否か判断され（ステップＡ１８）、次のサブ辞書ありと判断された場合には、当該次のサブ辞書「リ＊ダーズα」が指定されて（ステップＡ１９）、このサブ辞書の辞書データ内に前記検索対象の見出し語「ｌｉｆｅ」が有るか／否か判断される（ステップＡ１６）。
【００７６】
ここで、次のサブ辞書「リ＊ダーズα」の辞書データ内にも検索対象見出し語「ｌｉｆｅ」が有ると判断されると（ステップＡ１６）、当該見出し語「ｌｉｆｅ」に対応した次のサブ辞書に基づく説明情報の表示形態が、前記分割表示にして設定されたメイン辞書に基づく説明情報および先頭サブ辞書に基づく説明情報とその表示エリアを３分割表示にして設定される（ステップＡ１７）。
【００７７】
そして、次のサブ辞書なしと判断されると（ステップＡ１８）、現在のメイン辞書「ジ＊ニアス英和」に基づく見出し語「ｌｉｆｅ」の説明情報の表示先頭行の語義番号「２」が読み出され（ステップＡ２０）、図８または図９における対応語義番号検知処理に移行される（ステップＡＢ１）。
【００７８】
図８における第１の対応語義番号検知処理と図９における第２の対応語義番号検知処理とは、メイン辞書の語義番号に対応するサブ辞書の語義番号を検知するための検知手法が異なるもので、第１または第２の対応語義番号検知処理の何れを用いてもよい。
【００７９】
図８で示す第１の対応語義番号検知処理では、まず前記メイン辞書「ジ＊ニアス英和」と同種「英和」の先頭のサブ辞書「リ＊ダーズ英和」が指定され（ステップＢ１１）、前記メイン辞書「ジ＊ニアス英和」の語義リンクテーブル１２ｃ（図２参照）に従って、前記ステップＡ２０にて読み出された現在表示先頭行のメイン辞書の説明情報語義番号「２」に対応するところの前記指定された先頭サブ辞書「リ＊ダーズ英和」での説明情報語義番号「５」が読み出される（ステップＢ１２）。
【００８０】
すると、次のサブ辞書が存在するか否か判断され（ステップＢ１３）、次のサブ辞書ありと判断された場合には、当該次のサブ辞書「リ＊ダーズα」が指定されて（ステップＢ１４）、前記現在表示先頭行のメイン辞書語義番号「２」に対応するところの前記指定された次のサブ辞書「リ＊ダーズα」での語義番号「（この場合はナシ）」が読み出される（ステップＢ１２）。
【００８１】
つまり、この第１の対応語義番号検知処理では、メイン辞書用の語義リンクテーブル１２ｃに従って、表示先頭行にあるメイン辞書の説明情報語義番号に対応する各サブ辞書の説明情報語義番号が読み出される。
【００８２】
図９で示す第２の対応語義番号検知処理では、まず前記メイン辞書「ジ＊ニアス英和」と同種「英和」の先頭のサブ辞書「リ＊ダーズ英和」が指定され（ステップＢ２１）、現在表示先頭行のメイン辞書語義番号「２」の説明情報「［集合的に］生物、生き物」と前記指定された先頭サブ辞書「リ＊ダーズ英和」での同一見出し語に対応する各語義番号毎の説明情報とが比較される（ステップＢ２２）。
【００８３】
そして、前記指定された先頭サブ辞書「リ＊ダーズ英和」での同一見出し語に対応する各語義番号毎の説明情報のうちで、前記現在表示先頭行のメイン辞書語義番号「２」の説明情報「［集合的に］生物、生き物」と最も一致文字列の多い説明情報を有する先頭サブ辞書「リ＊ダーズ英和」での説明情報語義番号「５」（図３参照）が対応語義番号として決定される（ステップＢ２３）。
【００８４】
すると、次のサブ辞書が存在するか否か判断され（ステップＢ２４）、次のサブ辞書ありと判断された場合には、当該次のサブ辞書「リ＊ダーズα」が指定されて（ステップＢ２５）、前記同様に当該次のサブ辞書「リ＊ダーズα」における対応語義番号の決定処理が実行される（ステップＢ２２，Ｂ２３）。
【００８５】
つまり、この第２の対応語義番号検知処理では、表示先頭行にあるメイン辞書の語義番号の説明情報と最も一致文字列の多いところの、各サブ辞書における同一見出し語説明情報の語義番号が読み出される。
【００８６】
なお、本実施形態の動作説明におけるステップＡＢ１では、前記第１の対応語義番号検知処理（図８参照）に従って、表示先頭行にあるメイン辞書「ジ＊ニアス英和」の説明情報語義番号「２」に対応する先頭サブ辞書「リ＊ダーズ英和」の説明情報語義番号「５」、次のサブ辞書「リ＊ダーズα」の説明情報語義番号「（ナシ）」が読み出される。
【００８７】
すると、図１１（Ｅ）に示すようなメイン／サブ説明情報連動画面Ｇ４によって、先頭サブ辞書「リ＊ダーズ英和」における同一見出し語「ｌｉｆｅ」の説明情報が、前記対応語義番号検知処理（ステップＡＢ１）に従い検知された語義番号「５」の説明情報部分「生き物，生物（集合的）」から、前記ステップＡ１７において分割表示設定された第２の表示エリアに分割表示され、また、次のサブ辞書「リ＊ダーズα」における同一見出し語「ｌｉｆｅ」の説明情報が、前記対応語義番号検知処理（ステップＡＢ１）に従い検知された語義番号「（ナシ）」の説明情報部分「（ナシの場合は先頭）」から、前記ステップＡ１７において分割表示設定された第３の表示エリアに分割表示される（ステップＡ２１）。
【００８８】
このメイン／サブ説明情報連動画面Ｇ４において、設定中のメイン辞書名「ジ＊ニアス」は太枠のメイン辞書枠Ｍｍで囲まれて表示され、また、メイン辞書「ジ＊ニアス英和」と各サブ辞書「リ＊ダーズ英和」「リ＊ダーズα」それぞれの説明情報表示エリアのうち、前記対応語義番号検知処理（ステップＡＢ１）に従い対応語義番号が検知されたところのサブ辞書「リ＊ダーズ英和」の説明情報表示エリアについては、メイン辞書「ジ＊ニアス英和」の説明情報表示エリアと共に各説明情報の語義が連動していることを示す太枠の連動語義枠Ｗで囲まれて表示される。
【００８９】
さらに、同メイン／サブ説明情報連動画面Ｇ４上の連動語義枠Ｗで囲まれて表示されたところの、メイン辞書「ジ＊ニアス英和」の説明情報中で選択表示された連動対象の語義番号「２」は白抜きのメイン選択語義枠ｍ１で囲まれて表示され、また、先頭サブ辞書「リ＊ダーズ英和」の説明情報中で対応表示された連動の語義番号「５」は太枠のみのサブ選択語義枠ｍ２で囲まれて表示される。
【００９０】
このように、図１１（Ｅ）で示したメイン／サブ説明情報連動画面Ｇ４において、図１１（Ｆ）に示すように、カーソル上下キー１６xd，１６xuが操作されると（ステップＡ２２）、当該メイン／サブ説明情報連動画面Ｇ４のメイン辞書枠Ｍｍに対応して表示されているメイン辞書「ジ＊ニアス英和」の説明情報が上下にスクロールされて表示される（ステップＡ２３）。
【００９１】
すると、前記ステップＡ２３におけるメイン辞書「ジ＊ニアス英和」の説明情報のスクロール表示によってメイン選択語義枠ｍ１が変更表示された当該メイン辞書の説明情報語義番号「４」に応じて、前記ステップＡＢ１と同様の対応語義番号検知処理（図８／図９参照）が実行され（ステップＡＢ２）、先頭サブ辞書「リ＊ダーズ英和」における同一見出し語「ｌｉｆｅ」での対応する説明情報語義番号「２」、次のサブ辞書「リ＊ダーズα」における同一見出し語「ｌｉｆｅ」での対応する説明情報語義番号「（なし）」が読み出される。
【００９２】
すると、先頭サブ辞書「リ＊ダーズ英和」における同一見出し語「ｌｉｆｅ」の説明情報が、前記対応語義番号検知処理（ステップＡＢ２）に従い検知された語義番号「２」の説明情報部分「ａ（個人の）命，生涯，寿命…」から前記第２の表示エリアに分割表示され、また、次のサブ辞書「リ＊ダーズα」における同一見出し語「ｌｉｆｅ」の説明情報が、前記対応語義番号検知処理（ステップＡＢ２）に従い検知された語義番号「（ナシ）」の説明情報部分「（ナシの場合は先頭）」から第３の表示エリアに分割表示される（ステップＡ２４）。
【００９３】
この場合、次のサブ辞書「リ＊ダーズα」における同一見出し語「ｌｉｆｅ」での対応する説明情報語義番号は引き続き（なし）であるため、図１１（Ｅ）（Ｆ）に示す通り、その説明情報は前記先頭からの表示状態のまま維持される。
【００９４】
図１２は前記携帯機器（電子辞書）１０による情報表示制御機能の全体処理に伴うキー操作対応の表示動作（その３）を示す図であり、同図（Ｇ）はメイン／サブ説明情報連動画面Ｇ４でのメイン辞書枠Ｍｍ切り替え表示を示す図、同図（Ｈ）はメイン辞書切り替え表示後のメイン／サブ説明情報連動画面Ｇ４でのスクロール表示を示す図、同図（Ｉ）はメイン辞書切り替え表示後のメイン／サブ説明情報連動画面Ｇ４での語義連動表示を示す図である。
【００９５】
図１１（Ｅ）（Ｆ）で示した、メイン／サブ説明情報連動画面Ｇ４における現在のメイン辞書「ジ＊ニアス英和」での見出し語「ｌｉｆｅ」に対応した説明情報のスクロール操作表示に伴う各サブ辞書「リ＊ダーズ英和」「リ＊ダーズα」それぞれの説明情報の語義連動表示状態において、例えばメイン辞書「ジ＊ニアス英和」に基づく説明情報の内容よりも先頭サブ辞書「リ＊ダーズ英和」に基づく説明情報の内容の方がユーザの要求に合っていることで、現在設定中のメイン辞書を「ジ＊ニアス英和」から「リ＊ダーズ英和」に切り替えるために、図１２（Ｇ）に示すように、「シフト」キー１６ｓ＋ページダウンキー１６ｄが操作されてメイン辞書の切り替えキー操作が為されたと判断されると（ステップＡ２５）、当該キー操作に応じてメイン／サブ説明情報連動画面Ｇ４でのメイン辞書枠Ｍｍがこれまでの先頭サブ辞書名「リ＊ダーズ」の位置に切り替え表示されると共に、当該新たなメイン辞書「リ＊ダーズ英和」の説明情報における表示先頭の語義番号「２」にメイン選択語義枠ｍ１が表示され、これまでのメイン辞書「ジ＊ニアス英和」の説明情報における表示先頭の語義番号「４」にサブ選択語義枠ｍ２が表示される（ステップＡ２６）。
【００９６】
この際、メイン・サブ辞書設定テーブル１２ｄの「英和」辞書の設定内容が、メイン辞書「リ＊ダーズ英和」、サブ辞書「ジ＊ニアス英和」「リ＊ダーズα」として変更される。
【００９７】
そして、図１２（Ｇ）で示した、メイン辞書「リ＊ダーズ英和」として切り替えられたメイン／サブ説明情報連動画面において、図１２（Ｈ）に示すように、カーソル上下キー１６xd，１６xuが操作されると（ステップＡ２２）、前記図１１（Ｆ）で示したメイン辞書が「ジ＊ニアス英和」であった場合と同様に、メイン辞書枠Ｍｍに対応して表示されている新たなメイン辞書「リ＊ダーズ英和」の説明情報が上下にスクロールされて表示される（ステップＡ２３）。
【００９８】
すると、前記ステップＡ２３におけるメイン辞書「リ＊ダーズ英和」の説明情報のスクロール表示によって、図１２（Ｉ）に示すように、メイン選択語義枠ｍ１が変更表示された当該メイン辞書の説明情報語義番号「３」に応じて、前回同様の対応語義番号検知処理（図８／図９参照）が実行され（ステップＡＢ２）、先頭サブ辞書「ジ＊ニアス英和」における同一見出し語「ｌｉｆｅ」での対応する説明情報語義番号「６」、次のサブ辞書「リ＊ダーズα」における同一見出し語「ｌｉｆｅ」での対応する説明情報語義番号「（なし）」が読み出される。
【００９９】
すると、先頭サブ辞書「ジ＊ニアス英和」における同一見出し語「ｌｉｆｅ」の説明情報が、前記対応語義番号検知処理（ステップＡＢ２）に従い検知された語義番号「６」の説明情報部分「(C)(U)生活，暮し（方），…」から第１の表示エリアに分割表示され、また、次のサブ辞書「リ＊ダーズα」における同一見出し語「ｌｉｆｅ」の説明情報が、前記対応語義番号検知処理（ステップＡＢ２）に従い検知された語義番号「（ナシ）」の説明情報部分「（ナシの場合は先頭）」から第３の表示エリアに分割表示される（ステップＡ２４）。
【０１００】
なお、この場合も次のサブ辞書「リ＊ダーズα」における同一見出し語「ｌｉｆｅ」での対応する説明情報語義番号は引き続き（なし）であるため、図１２（Ｈ）（Ｉ）に示す通り、その説明情報は前記先頭からの表示状態のまま維持される。
【０１０１】
図１３は前記携帯機器（電子辞書）１０による情報表示制御機能の全体処理に伴うキー操作対応の表示動作（その４）を示す図であり、同図（Ｊ）はメイン／サブ説明情報連動画面Ｇ４での用例選択表示を示す図、同図（Ｋ）はメイン／サブ選択語義用例画面Ｇ５を示す図、同図（Ｌ）は同図（Ｊ）で示したメイン辞書「リ＊ダーズ英和」の語義選択状態にて「訳／決定」キー１６Ｙを操作した場合の説明情報表示画面Ｇ３を示す図である。
【０１０２】
図１３（Ｊ）に示すように、メイン／サブ説明情報連動画面Ｇ４において、「用例」キー１６Ｒが操作されると、連動語義枠Ｗ内のメイン選択語義枠ｍ１およびサブ選択語義枠ｍ２により示されるメイン辞書語義番号「３」に対応した説明情報内の用例マークＬおよび先頭サブ辞書語義番号「６」に対応した説明情報内の用例マークＬが反転識別表示される（ステップＡ２７）。
【０１０３】
そして、図１３（Ｋ）に示すように、「訳／決定」キー１６Ｙが操作されると（ステップＡ２８）、前記連動語義枠Ｗ内のメイン辞書「リ＊ダーズ英和」におけるメイン選択語義番号「３」の説明情報に対応した用例と、先頭サブ辞書「ジ＊ニアス英和」におけるサブ選択語義番号「６」の説明情報に対応した用例とが、そのそれぞれの辞書データに基づき読み出され、メイン／サブ選択語義用例画面Ｇ５として各辞書対応の２分割エリアに表示される（ステップＡ２９）。
【０１０４】
このメイン／サブ選択語義用例画面Ｇ５による用例表示状態において、「戻る」キー１６Ｂが操作された場合には、前記ステップＡ２４からの処理に戻り、前記図１２（Ｉ）で示したメイン辞書「リ＊ダーズ英和」のメイン選択語義番号「３」とこれに連動した先頭サブ辞書「ジ＊ニアス英和」のサブ選択語義番号「６」とに応じたメイン／サブ説明情報連動画面Ｇ４に復帰する（ステップＡ３０→Ａ２４）。
【０１０５】
そして、このメイン／サブ説明情報連動画面Ｇ４（図１２（Ｉ）参照）において、「訳／決定」キー１６Ｙが操作されると（ステップＡ３１）、図１３（Ｌ）に示すように、当該メイン／サブ説明情報連動画面Ｇ４において分割表示されていたメイン辞書「リ＊ダーズ英和」の見出し語に対応するメイン選択語義番号「３」以降の説明情報が辞書データから読出され、説明情報表示画面Ｇ３として全画面表示される（ステップＡ３２）。
【０１０６】
したがって、前記構成の携帯機器（電子辞書）１０におけるメイン辞書／サブ辞書間での説明情報連動表示機能によれば、例えば「英和」のメイン辞書を「ジ＊ニアス英和辞典」、先頭サブ辞書を「リ＊ダーズ英和辞典」としてメイン・サブ辞書設定テーブル１２ｄに設定した状態での当該メイン辞書に基づく入力見出し語に応じた説明情報表示画面Ｇ３（図１１（Ｄ）参照）において、「サブ辞書」キー１６Ｄを操作すると、表示中のメイン辞書説明情報の選択語義番号「２」に内容対応する先頭サブ辞書の語義番号「５」が当該メイン辞書「ジ＊ニアス英和辞典」用の語義リンクテーブル１２ｃ（図２，図３参照）に基づき検知され、この先頭サブ辞書語義番号「５」に応じた説明情報が前記メイン辞書の選択語義番号「２」の説明情報と２分割の表示設定にしたメイン／サブ説明情報連動画面Ｇ４（図１１（Ｅ）参照）にて表示される。
【０１０７】
このため、複数ある同種の辞書を対象にして見出し語検索し各辞書に応じた説明情報を参照したい場合に、各辞書の説明情報表示画面Ｇ３を別々にスクロール表示させて一方の辞書の説明情報に対応した内容の他方の辞書の説明情報を比較検討しながら見つけ出す必要はなく、ユーザ設定したメインの辞書の表示中の説明情報に対応したサブ辞書の説明情報を、非常に簡単な１キー（サブ辞書キー１６Ｄ）操作で語義に基づき連動表示させることができる。
【０１０８】
また、前記構成の携帯機器（電子辞書）１０におけるメイン辞書／サブ辞書間での説明情報連動表示機能によれば、前記語義に基づき連動表示されるメイン辞書の入力見出し語に対応した説明情報とサブ辞書での同一見出し語に対応した説明情報とは、連動語義枠Ｗで囲まれた分割エリアにて並列表示されるメイン／サブ説明情報連動画面Ｇ４として表示されるので、各辞書間で同様の語義内容である説明情報を極めて容易に比較検討して何れの説明内容が適切かを判断できるようになる。
【０１０９】
また、前記構成の携帯機器（電子辞書）１０におけるメイン辞書／サブ辞書間での説明情報連動表示機能によれば、メイン辞書での見出し語に応じた説明情報語義番号に対応するサブ辞書での同一見出し語に応じた説明情報語義番号を検知するには、予め同種各辞書間での語義番号（内容）を対応付けして記憶した語義リンクテーブル１２ｃ（図２，図３参照）に従い検知するか、または、サブ辞書での同一見出し語に応じた説明情報における各語義毎の説明情報のうち、メイン辞書での選択語義に応じた説明情報文字列と一致文字列最多のサブ辞書説明情報の語義番号を検知するので、非常に簡単な処理によりメイン辞書の説明情報語義番号に内容対応して連動したサブ辞書での説明情報語義番号を取得できるようになる。
【０１１０】
また、前記構成の携帯機器（電子辞書）１０におけるメイン辞書／サブ辞書間での説明情報連動表示機能によれば、メイン／サブ説明情報連動画面Ｇ４において、メイン辞書での入力見出し語に応じた説明情報を選択的にスクロール表示させた場合には、その選択的スクロール表示によってメイン辞書での説明情報語義が変わる都度、対応するサブ辞書での説明情報語義が検知されて連動表示されるので、メイン／サブ説明情報連動画面Ｇ４では常にメイン辞書の説明情報に語義連動させたサブ辞書の説明情報を表示できるようになる。
【０１１１】
さらに、前記構成の携帯機器（電子辞書）１０におけるメイン辞書／サブ辞書間での説明情報連動表示機能によれば、メイン／サブ説明情報連動画面Ｇ４では、メイン辞書の説明情報分割表示エリアにはそのメイン辞書名がメイン辞書枠Ｍｍで囲まれて識別表示される。そして、「シフト」キー１６ｓ＋ページダウンキー１６ｄの操作によりメイン辞書の切り替え指示が為された場合には、前記メイン辞書枠Ｍｍがこれまでサブ辞書の説明情報分割表示エリアに対応表示されていたサブ辞書名を囲む位置に切り替え表示され、新たなメイン辞書として識別表示させると共に、メイン・サブ辞書設定テーブル１２ｄの設定内容を書き換えるようにしたので、メイン／サブ説明情報連動画面Ｇ４によるメイン辞書説明情報とサブ辞書説明情報との語義連動表示状態では、ユーザは双方の説明情報を参照して簡単にそのメイン辞書とサブ辞書との切り替えを行い、ユーザ所望の適切な説明情報を有する辞書をメイン辞書として簡単に変更設定できるようになる。
【０１１２】
また、前記構成の携帯機器（電子辞書）１０におけるメイン辞書／サブ辞書間での説明情報連動表示機能によれば、辞書データメモリ１２ｂに記憶された各種別のメイン辞書を指定して入力見出し語に対応する説明情報の検索を行うための各辞書キー「国語」１６a1、「漢和」１６a2、「英和」１６a3、「和英」１６a4を有し、当該辞書キー「国語」１６a1〜「和英」１６a4の選択的な１キー操作で所望の種類のメイン辞書に基づく見出し語一覧画面Ｇ２を表示でき辞書検索処理を開始できると共に、このメイン辞書での検索処理に基づいた説明情報表示画面Ｇ３において、「サブ辞書」キー１６Ｄを１キー操作するだけで、同種のサブ辞書を対象とした前記語義の連動表示によるメイン／サブ説明情報連動画面Ｇ４に切り替えることができる。
【０１１３】
なお、前記各実施形態において記載した携帯機器（電子辞書）１０による各処理の手法、すなわち、図５および図６のフローチャートに示す情報表示制御機能の全体処理、図７のフローチャートに示す当該情報表示制御機能の全体処理に伴うメイン辞書設定処理、図８のフローチャートに示す前記情報表示制御機能の全体処理に伴う第１の対応語義番号検知処理、図９のフローチャートに示す前記情報表示制御機能の全体処理に伴う第２の対応語義番号検知処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、通信ネットワーク（インターネット）Ｎとの通信機能を備えた種々のコンピュータ端末は、この外部記憶媒体１３に記憶されたプログラムを記憶媒体読取部１４によってメモリ１２に読み込み、この読み込んだプログラムによって動作が制御されることにより、前記実施形態において説明したメイン辞書／サブ辞書間での説明情報連動表示機能を実現し、前述した手法による同様の処理を実行することができる。
【０１１４】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述したメイン辞書／サブ辞書間での説明情報連動表示機能を実現することもできる。
【０１１５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１１６】
【図１】本発明の辞書情報表示制御装置の実施形態に係る携帯機器（電子辞書）１０の電子回路の構成を示すブロック図。
【図２】前記携帯機器（電子辞書）１０のメモリ１２に記憶される語義リンクテーブル１２ｃのテーブルデータを示す図。
【図３】前記図２おける語義リンクテーブル１２ｃについて各語義に対応する説明情報の内容を参考に対応付けて示す図。
【図４】前記携帯機器（電子辞書）１０の入力部１６であるキーボードパネルを示す図。
【図５】前記携帯機器（電子辞書）１０による情報表示制御機能の全体処理（その１）を示すフローチャート。
【図６】前記携帯機器（電子辞書）１０による情報表示制御機能の全体処理（その２）を示すフローチャート。
【図７】前記携帯機器（電子辞書）１０による情報表示制御機能の全体処理に伴うメイン辞書設定処理を示すフローチャート。
【図８】前記携帯機器（電子辞書）１０による情報表示制御機能の全体処理に伴う第１の対応語義番号検知処理を示すフローチャート。
【図９】前記携帯機器（電子辞書）１０による情報表示制御機能の全体処理に伴う第２の対応語義番号検知処理を示すフローチャート。
【図１０】前記携帯機器（電子辞書）１０による情報表示制御機能の全体処理に伴うキー操作対応の表示動作（その１）を示す図であり、同図（Ａ）はメイン辞書設定画面Ｇ１を示す図、同図（Ｂ）は見出し語一覧画面Ｇ２を示す図、同図（Ｃ）は説明情報表示画面Ｇ３を示す図。
【図１１】前記携帯機器（電子辞書）１０による情報表示制御機能の全体処理に伴うキー操作対応の表示動作（その２）を示す図であり、同図（Ｄ）は説明情報表示画面Ｇ３でのスクロール表示を示す図、同図（Ｅ）はメイン／サブ説明情報連動画面Ｇ４を示す図、同図（Ｆ）はメイン／サブ説明情報連動画面Ｇ４でのスクロール表示を示す図。
【図１２】前記携帯機器（電子辞書）１０による情報表示制御機能の全体処理に伴うキー操作対応の表示動作（その３）を示す図であり、同図（Ｇ）はメイン／サブ説明情報連動画面Ｇ４でのメイン辞書枠Ｍｍ切り替え表示を示す図、同図（Ｈ）はメイン辞書切り替え表示後のメイン／サブ説明情報連動画面Ｇ４でのスクロール表示を示す図、同図（Ｉ）はメイン辞書切り替え表示後のメイン／サブ説明情報連動画面Ｇ４での語義連動表示を示す図。
【図１３】前記携帯機器（電子辞書）１０による情報表示制御機能の全体処理に伴うキー操作対応の表示動作（その４）を示す図であり、同図（Ｊ）はメイン／サブ説明情報連動画面Ｇ４での用例選択表示を示す図、同図（Ｋ）はメイン／サブ選択語義用例画面Ｇ５を示す図、同図（Ｌ）は同図（Ｊ）で示したメイン辞書「リ＊ダーズ英和」の語義選択状態にて「訳／決定」キー１６Ｙを操作した場合の説明情報表示画面Ｇ３を示す図。
【符号の説明】
【０１１７】
１０  …携帯機器（電子辞書）
１１  …ＣＰＵ
１２  …メモリ
１２ａ…辞書制御プログラム
１２ｂ…辞書データメモリ
１２ｃ…語義リンクテーブル
１２ｄ…メイン／サブ辞書設定テーブル
１２ｅ…ワークエリア
１３  …外部記憶媒体
１４  …記憶媒体読取部
１５  …通信部
１６  …入力部
１６a1〜１６a4…辞書キー
１６Ｄ…「サブ辞書」キー
１６Ｙ…「訳／決定」キー
１６Ｒ…「用例」キー
１７  …表示部
２０  …Ｗｅｂサーバ
Ｎ  …通信ネットワーク（インターネット）
Ｗ  …連動語義枠
Ｍｍ…メイン辞書枠
ｍ１…メイン選択語義枠
ｍ２…サブ選択語義枠
【図１】
2005202859.tif 000003
【図２】
2005202859.tif 000004
【図３】
2005202859.tif 000005
【図４】
2005202859.tif 000006
【図５】
2005202859.tif 000007
【図６】
2005202859.tif 000008
【図７】
2005202859.tif 000009
【図８】
2005202859.tif 000010
【図９】
2005202859.tif 000011
【図１０】
2005202859.tif 000012
【図１１】
2005202859.tif 000013
【図１２】
2005202859.tif 000014
【図１３】
2005202859.tif 000015